(57)【要約】【課題】ヒートサイクルによる絶縁性能の低下を抑制し易い電力ケーブルの中間接続構造を提供する。【解決手段】導体接続部と、絶縁筒と、絶縁筒の中央外周に設けられる外周筒部、及び縁筒の端部内周に設けられて外部半導電層に導通される端部内周筒部を有する接続用半導電層とを備えるゴムユニットとを備え、ゴムユニットは、絶縁筒に一連に形成されて端部内周筒部の外周を覆い、外周筒部と端部内周筒部とを電気的に縁切りする筒状の縁切り部と、ゴムユニットの端部に設けられる環状の凹部と、凹部の開口を塞ぐ仮想平面を通ると共に、外周筒部と端部内周筒部との間に亘る沿面距離を比較沿面距離とするとき、外周筒部と端部内周筒部との間に亘る沿面距離を比較沿面距離よりも長くする環状の沿面距離延長部とを有し、凹部の内周面は、縁切り部の表面を兼ねる重複面を有し、沿面距離延長部は、重複面の少なくとも一部を含む電力ケーブルの中間接続構造。【選択図】図２
2019041464.tif 000002
【特許請求の範囲】
【請求項１】
導体と外部半導電層とを有する電力ケーブルの端部同士を接続する電力ケーブルの中間接続構造であって、
各電力ケーブルの端部において露出される前記導体の端部同士を接続する導体接続部と、
前記導体接続部の外周を覆う絶縁筒と、前記絶縁筒の中央外周に設けられる外周筒部、及び前記絶縁筒の端部内周に設けられて前記外部半導電層に導通される端部内周筒部を有する接続用半導電層とを備えるゴムユニットとを備え、
前記ゴムユニットは、
前記絶縁筒に一連に形成されて前記端部内周筒部の外周を覆い、前記外周筒部と前記端部内周筒部とを電気的に縁切りする筒状の縁切り部と、
前記ゴムユニットの端部に設けられる環状の凹部と、
前記凹部の開口を塞ぐ仮想平面を通ると共に、前記外周筒部と前記端部内周筒部との間に亘る沿面距離を比較沿面距離とするとき、前記外周筒部と前記端部内周筒部との間に亘る沿面距離を前記比較沿面距離よりも長くする環状の沿面距離延長部と、を有し、
前記凹部の内周面は、前記縁切り部の表面を兼ねる重複面を有し、
前記沿面距離延長部は、前記重複面の少なくとも一部を含む電力ケーブルの中間接続構造。
【請求項２】
前記凹部の内周面は、更に前記端部内周筒部の表面を有し、
前記沿面距離延長部は、
前記凹部内に挿入される筒状の挿入部と、
前記挿入部に一連に形成され、前記凹部の外側に露出する筒状の露出部とを有する請求項１に記載の電力ケーブルの中間接続構造。
【請求項３】
前記挿入部よりも前記凹部の底側に前記挿入部と独立して配置され、前記縁切り部を内周側から支持する筒状の底側挿入部を備える請求項２に記載の電力ケーブルの中間接続構造。
【請求項４】
前記挿入部は、前記凹部の内周面と一体成形され、
前記露出部は、前記縁切り部及び前記端部内周筒部の端面と一体成形されている請求項２に記載の電力ケーブルの中間接続構造。
【請求項５】
前記凹部の内周面は、前記重複面のみで形成され、
前記沿面距離延長部は、前記凹部で形成されている請求項１に記載の電力ケーブルの中間接続構造。
【請求項６】
請求項１から請求項５のいずれか１項に記載の電力ケーブルの中間接続構造を備える電力ケーブル線路。
【請求項７】
導体と外部半導電層とを有する電力ケーブルの端部において露出される前記導体の端部同士を接続する導体接続部の外周を覆う絶縁筒と、前記絶縁筒の中央外周に設けられる外周筒部、及び前記絶縁筒の端部内周に設けられて前記外部半導電層に導通される端部内周筒部を有する接続用半導電層とを備えるゴムユニットであって、
前記絶縁筒に一連に形成されて前記端部内周筒部の外周を覆い、前記外周筒部と前記端部内周筒部とを電気的に縁切りする筒状の縁切り部と、
前記ゴムユニットの端部に設けられる環状の凹部と、
前記凹部の開口を塞ぐ仮想平面を通ると共に、前記外周筒部と前記端部内周筒部との間に亘る沿面距離を比較沿面距離とするとき、前記外周筒部と前記端部内周筒部との間に亘る沿面距離を前記比較沿面距離よりも長くする環状の沿面距離延長部と、を有し、
前記凹部の内周面は、前記縁切り部の表面を兼ねる重複面を有し、
前記沿面距離延長部は、前記重複面の少なくとも一部を含むゴムユニット。
【発明の詳細な説明】
【技術分野】
【０００１】
本発明は、電力ケーブルの中間接続構造、電力ケーブル線路、及びゴムユニットに関する。
【背景技術】
【０００２】
電力ケーブルの端部同士を接続して電力ケーブル線路を構築する電力ケーブルの中間接続構造として、両電力ケーブルに備わるケーブル遮蔽層同士を電気的に接続し導通する特許文献１のようなＮＪ（Ｎｏｒｍａｌ  ｓｔｒａｉｇｈｔ  ｔｈｒｏｕｇｈ  ｊｏｉｎｔ）タイプと、ケーブル遮蔽層同士を電気的に絶縁する特許文献２のようなＩＪ（Ｉｎｓｕｌａｔｉｎｇ  ｊｏｉｎｔ）タイプとが挙げられる。
【０００３】
特許文献１の電力ケーブル用接続部は、中心側から順に、導体接続管と、ブロック絶縁体及びスペーサと、第１遮蔽層と、第２遮蔽層と、遮水層とを備える。導体接続管は、各電力ケーブルの端部において露出されるケーブル導体の端部同士を接続する。ブロック絶縁体は、内周側から順に、導体接続管の外周を覆うブロック内部半導電層と、ケーブル絶縁体同士を接続するブロック絶縁層と、ケーブル外部半導電層同士を接続するブロック外部半導電層とを備える。スペーサは、ブロック絶縁体の各端面に対向して配置されている。第１遮蔽層は、ブロック絶縁体と各ケーブル外部半導電層の外周に跨って配設され、第２遮蔽層は、第１遮蔽層と各ケーブル遮蔽層の外周に跨って配設されている。遮水層は、これら全体を覆うように形成されている。
【０００４】
特許文献２の電力ケーブル接続部用モールドユニット（ゴムユニット）は、絶縁ゴムの端部外周側に一体に形成され、外部半導電層を絶縁ゴムの外周側の外筒と絶縁ゴムの端部内周側の端部内筒とに電気的に縁切りする縁切り部が設けられている。この縁切り部により、３相交流送電を３条の単心ケーブルを用いて行う場合に各相の送電を行う単心ケーブルに電圧を印加した際、他相により各単心ケーブルの端部にケーブル長に応じて生じる誘起電圧に耐えるように設計されている。
【先行技術文献】
【特許文献】
【０００５】
【特許文献１】特開２００７−１１０８３１号公報
【特許文献２】特開平１０−３０９０２７号公報
【発明の概要】
【発明が解決しようとする課題】
【０００６】
電力ケーブルの中間接続構造では、一般に、ヒートサイクルを受けた際、電力ケーブルの膨張・収縮をゴムユニットで吸収しており、ゴムユニットとその端面に対向配置されるスペーサの挙動が一連ではない。そのため、ゴムユニットの端面とその端面に対向配置されるスペーサとの間に空隙が形成される場合がある。そうすると、その空隙が電気的弱点になり、絶縁性能の低下を招く。
【０００７】
そこで、ヒートサイクルによる絶縁性能の低下を抑制し易い電力ケーブルの中間接続構造を提供することを目的の一つとする。
【０００８】
また、上記電力ケーブルの中間接続構造を備える電力ケーブル線路を提供することを目的の一つとする。
【０００９】
さらに、端部の沿面距離を延長できるゴムユニットを提供することを目的の一つとする。
【課題を解決するための手段】
【００１０】
本開示に係る電力ケーブルの中間接続構造は、
導体と外部半導電層とを有する電力ケーブルの端部同士を接続する電力ケーブルの中間接続構造であって、
各電力ケーブルの端部において露出される前記導体の端部同士を接続する導体接続部と、
前記導体接続部の外周を覆う絶縁筒と、前記絶縁筒の中央外周に設けられる外周筒部、及び前記絶縁筒の端部内周に設けられて前記外部半導電層に導通される端部内周筒部を有する接続用半導電層とを備えるゴムユニットとを備え、
前記ゴムユニットは、
前記絶縁筒に一連に形成されて前記端部内周筒部の外周を覆い、前記外周筒部と前記端部内周筒部とを電気的に縁切りする筒状の縁切り部と、
前記ゴムユニットの端部に設けられる環状の凹部と、
前記凹部の開口を塞ぐ仮想平面を通ると共に、前記外周筒部と前記端部内周筒部との間に亘る沿面距離を比較沿面距離とするとき、前記外周筒部と前記端部内周筒部との間に亘る沿面距離を前記比較沿面距離よりも長くする環状の沿面距離延長部と、を有し、
前記凹部の内周面は、前記縁切り部の表面を兼ねる重複面を有し、
前記沿面距離延長部は、前記重複面の少なくとも一部を含む。
【００１１】
本開示に係る電力ケーブル線路は、本開示に係る電力ケーブルの中間接続構造を備える。
【００１２】
本開示に係るゴムユニットは、
導体と外部半導電層とを有する電力ケーブルの端部において露出される前記導体の端部同士を接続する導体接続部の外周を覆う絶縁筒と、前記絶縁筒の中央外周に設けられる外周筒部、及び前記絶縁筒の端部内周に設けられて前記外部半導電層に導通される端部内周筒部を有する接続用半導電層とを備えるゴムユニットであって、
前記絶縁筒に一連に形成されて前記端部内周筒部の外周を覆い、前記外周筒部と前記端部内周筒部とを電気的に縁切りする筒状の縁切り部と、
前記ゴムユニットの端部に設けられる環状の凹部と、
前記凹部の開口を塞ぐ仮想平面を通ると共に、前記外周筒部と前記端部内周筒部との間に亘る沿面距離を比較沿面距離とするとき、前記外周筒部と前記端部内周筒部との間に亘る沿面距離を前記比較沿面距離よりも長くする環状の沿面距離延長部と、を有し、
前記凹部の内周面は、前記縁切り部の表面を兼ねる重複面を有し、
前記沿面距離延長部は、前記重複面の少なくとも一部を含む。
【発明の効果】
【００１３】
上記電力ケーブルの中間接続構造は、ヒートサイクルによる絶縁性能の低下を抑制し易い。
【００１４】
上記電力ケーブル線路は、ヒートサイクルによって絶縁性能が低下し難い。
【００１５】
上記ゴムユニットは、ヒートサイクルによる絶縁性能の低下を抑制できる電力ケーブルの中間接続構造を構築できる。
【図面の簡単な説明】
【００１６】
【図１】実施形態１に係る電力ケーブルの中間接続構造及び電力ケーブル線路の概略を示す部分断面図である。
【図２】実施形態１に係る電力ケーブルの中間接続構造に備わるゴムユニットの一方の端部付近を拡大した断面図である。
【図３】実施形態２に係る電力ケーブルの中間接続構造に備わるゴムユニットの一方の端部付近を拡大した断面図である。
【図４】実施形態３に係る電力ケーブルの中間接続構造に備わるゴムユニットの一方の端部付近を拡大した断面図である。
【図５】実施形態４に係る電力ケーブルの中間接続構造に備わるゴムユニットの一方の端部付近を拡大した断面図である。
【図６】実施形態５に係る電力ケーブルの中間接続構造に備わるゴムユニットの一方の端部付近を拡大した断面図である。
【図７】参考例１の電力ケーブルの中間接続構造に備わるゴムユニットの一方の端部付近を拡大した断面図である。
【００１７】
《本発明の実施形態の説明》
最初に本発明の実施態様を列記して説明する。
【００１８】
（１）本発明の一態様に係る電力ケーブルの中間接続構造は、
導体と外部半導電層とを有する電力ケーブルの端部同士を接続する電力ケーブルの中間接続構造であって、
各電力ケーブルの端部において露出される前記導体の端部同士を接続する導体接続部と、
前記導体接続部の外周を覆う絶縁筒と、前記絶縁筒の中央外周に設けられる外周筒部、及び前記絶縁筒の端部内周に設けられて前記外部半導電層に導通される端部内周筒部を有する接続用半導電層とを備えるゴムユニットとを備え、
前記ゴムユニットは、
前記絶縁筒に一連に形成されて前記端部内周筒部の外周を覆い、前記外周筒部と前記端部内周筒部とを電気的に縁切りする筒状の縁切り部と、
前記ゴムユニットの端部に設けられる環状の凹部と、
前記凹部の開口を塞ぐ仮想平面を通ると共に、前記外周筒部と前記端部内周筒部との間に亘る沿面距離を比較沿面距離とするとき、前記外周筒部と前記端部内周筒部との間に亘る沿面距離を前記比較沿面距離よりも長くする環状の沿面距離延長部と、を有し、
前記凹部の内周面は、前記縁切り部の表面を兼ねる重複面を有し、
前記沿面距離延長部は、前記重複面の少なくとも一部を含む。
【００１９】
上記の構成によれば、ヒートサイクルによる絶縁性能の低下を抑制し易い。ヒートサイクルによってゴムユニットの端面の対向箇所に電気的弱点に成りうる空隙が形成されても、沿面距離延長部を備えることで、沿面距離延長部を備えない場合に比較して沿面距離を長くできるからである。
【００２０】
（２）上記電力ケーブルの中間接続構造の一形態として、
前記凹部の内周面は、更に前記端部内周筒部の表面を有し、
前記沿面距離延長部は、
前記凹部内に挿入される筒状の挿入部と、
前記挿入部に一連に形成され、前記凹部の外側に露出する筒状の露出部とを有することが挙げられる。
【００２１】
上記の構成によれば、挿入部や露出部のサイズを調整することで沿面距離を調整できるため、沿面距離を比較沿面距離よりも長くし易い。
【００２２】
（３）上記沿面距離延長部が挿入部と露出部とを備える上記電力ケーブルの中間接続構造の一形態として、
前記挿入部よりも前記凹部の底側に前記挿入部と独立して配置され、前記縁切り部を内周側から支持する筒状の底側挿入部を備えることが挙げられる。
【００２３】
上記の構成によれば、ヒートサイクルによる膨張収縮で縁切り部が劣化し難い。底側挿入部により縁切り部をその内周側から支持することで、縁切り部を機械的に補強できるからである。
【００２４】
（４）上記沿面距離延長部が挿入部と露出部とを備える上記電力ケーブルの中間接続構造の一形態として、
前記挿入部は、前記凹部の内周面と一体成形され、
前記露出部は、前記縁切り部及び前記端部内周筒部の端面と一体成形されていることが挙げられる。
【００２５】
上記の構成によれば、凹部と挿入部との間、縁切り部及び端部内周筒部の端面と露出部との間に隙間が形成され難いため、ヒートサイクルによる絶縁性能の低下をより一層抑制し易い。特に、挿入部が凹部の内周面と一体成形されることで、挿入部で凹部をその全域に亘って埋め易いため、沿面距離を比較沿面距離に比較してより一層長くし易い。
【００２６】
（５）上記電力ケーブルの中間接続構造の一形態として、
前記凹部の内周面は、前記重複面のみで形成され、
前記沿面距離延長部は、前記凹部で形成されていることが挙げられる。
【００２７】
上記の構成によれば、部品点数を低減しつつヒートサイクルによる絶縁性能の低下を抑制し易い。沿面距離延長部として、絶縁筒とは独立する部材を別途用意する必要がないからである。
【００２８】
（６）本発明の一態様に係る電力ケーブル線路は、上記（１）から（５）のいずれか１つに記載の電力ケーブルの中間接続構造を備える。
【００２９】
上記の構成によれば、ヒートサイクルによる絶縁性能の低下を抑制し易い電力ケーブルの中間接続構造を備えるため、絶縁性能が低下し難い。
【００３０】
（７）本発明の一態様に係るゴムユニットは、
導体と外部半導電層とを有する電力ケーブルの端部において露出される前記導体の端部同士を接続する導体接続部の外周を覆う絶縁筒と、前記絶縁筒の中央外周に設けられる外周筒部、及び前記絶縁筒の端部内周に設けられて前記外部半導電層に導通される端部内周筒部を有する接続用半導電層とを備えるゴムユニットであって、
前記絶縁筒に一連に形成されて前記端部内周筒部の外周を覆い、前記外周筒部と前記端部内周筒部とを電気的に縁切りする筒状の縁切り部と、
前記ゴムユニットの端部に設けられる環状の凹部と、
前記凹部の開口を塞ぐ仮想平面を通ると共に、前記外周筒部と前記端部内周筒部との間に亘る沿面距離を比較沿面距離とするとき、前記外周筒部と前記端部内周筒部との間に亘る沿面距離を前記比較沿面距離よりも長くする環状の沿面距離延長部と、を有し、
前記凹部の内周面は、前記縁切り部の表面を兼ねる重複面を有し、
前記沿面距離延長部は、前記重複面の少なくとも一部を含む。
【００３１】
上記の構成によれば、沿面距離延長部を備えない場合に比較して沿面距離を長くできるため、ヒートサイクルによる絶縁性能の低下を抑制できる上記電力ケーブルの中間接続構造を構築できる。
【００３２】
《本発明の実施形態の詳細》
本発明の実施形態の詳細を、以下に図面を参照しつつ説明する。図中の同一符号は同一名称物を示す。
【００３３】
《実施形態１》
〔電力ケーブルの中間接続構造〕
図１、図２を参照して、実施形態１に係る電力ケーブルの中間接続構造１を説明する。電力ケーブルの中間接続構造１は、二つの電力ケーブル１００の導体１１０の端部同士を接続して電力ケーブル線路２００を構築する。この電力ケーブルの中間接続構造１は、導体１１０の端部同士を接続する導体接続部２と、導体接続部２の外周を覆うゴムユニット３とを備える。電力ケーブルの中間接続構造１の特徴の一つは、ゴムユニット３が特定の沿面距離延長部３６を有する点にある。まず、電力ケーブル１００の概要を説明し、その後、電力ケーブルの中間接続構造１の各構成を詳細に説明する。
【００３４】
［電力ケーブル］
各電力ケーブル１００は、導体１１０と、導体１１０の外周に形成される絶縁体１２０と、絶縁体１２０の外周に形成されるケーブル遮蔽層１３０と、ケーブル遮蔽層１３０の外周に形成されるシース１４０とを備える（図１）。本例の電力ケーブル１００はＣＶケーブルである。絶縁体１２０の内周部分には、ケーブル内部半導電層（図示せず）が設けられ、絶縁体１２０の外周部分には、外部半導電層１２２と、半導電テープ層１２４とが設けられている。各電力ケーブル１００の端部は、段剥ぎされて、導体１１０、絶縁体１２０、外部半導電層１２２、半導電テープ層１２４、及びケーブル遮蔽層１３０の各々が露出される。
【００３５】
導体１１０の材質は、導電性を有する金属、例えば銅やアルミニウムなどが挙げられる。絶縁体１２０の材質は、電気絶縁性を有する樹脂が挙げられる。本例の絶縁体１２０の材質は、架橋ポリエチレンである。ケーブル内部半導電層及び外部半導電層１２２の材質は半導電性を有する樹脂が挙げられる。ケーブル遮蔽層１３０は、銅やアルミニウムなどの導電性を有する金属のテープや編組線で形成されている。シース１４０の材質は、例えばポリエチレン樹脂が挙げられる。
【００３６】
電力ケーブル１００の基本的構成は公知の構成を参照できる。例えば、電力ケーブル１００は、送電電圧が例えば６６ｋＶ以上の高圧用ケーブル、更には４００ｋＶ以上、５００ｋＶ以上といった超高圧用ケーブルなどとすることが挙げられる。
【００３７】
［中間接続構造］
中間接続構造１は、内周側から順に導体接続部２とゴムユニット３とを備える。図１では、説明の便宜上、中間接続構造１の一方側（紙面右側）のみ半断面で示し、他方側（紙面左側）を外観図で示している。
【００３８】
（導体接続部）
導体接続部２は、段剥ぎされて露出する導体１１０の端部同士を接続する。導体接続部２は、本例では両端が開口する２つの収納孔が形成された円筒状部材であり、その中央に各収納孔の底を形成する仕切部が設けられている。導体接続部２は、両端の開口から導体１１０の端部をそれぞれ収納孔内に挿入して圧縮接続することで、導体１１０同士を電気的に接続する。導体接続部２の材質は、導体１１０と同じ材質、例えば、銅やアルミニウムなどの導電性を有する金属が挙げられる。
【００３９】
（ゴムユニット）
ゴムユニット３は、中間接続構造１の主絶縁に用いられる。ゴムユニット３は、筒状部材であり、一方の電力ケーブル１００の外部半導電層１２２の外周から他方の電力ケーブル１００の外部半導電層１２２の外周に亘って一連に覆う。このゴムユニット３は、拡径状態で導体接続部２の外周などに配置される。そのため、ゴムユニット３の各部の内周面は、ゴムの収縮力によって電力ケーブル１００の外周などに隙間なく密着する。このゴムユニット３は、絶縁筒３１と、内部半導電層３２と、接続用半導電層３３と、縁切り部３４と、凹部３５と、沿面距離延長部３６（図２）とを有する。図１では、説明の便宜上、一方（紙面右側）の縁切り部３４と凹部３５とを図示し、他方（紙面左側）の縁切り部と凹部の図示を省略している。図２では、説明の便宜上、後述する防水層６（図１）の図示を省略すると共に、縁切り部３４と沿面距離延長部３６との間の隙間を誇張して示している。この点は、後述する図３〜図７でも同様である。
【００４０】
〈絶縁筒〉
絶縁筒３１は、一方の電力ケーブル１００の絶縁体１２０の外周から他方の電力ケーブル１００の絶縁体１２０の外周に亘って覆う（図１）。絶縁筒３１の材質は、例えば、絶縁性エチレンプロピレンゴム、又は絶縁性シリコーンゴムなどが挙げられる。
【００４１】
〈内部半導電層〉
内部半導電層３２は、絶縁筒３１における軸方向の中央の内周に設けられる円筒状の部材であり、導体接続部２の外周を覆う。内部半導電層３２は、絶縁筒３１と一体成形されている。内部半導電層３２の材質は、例えば、半導電性エチレンプロピレンゴム、又は半導電性シリコーンゴムなどが挙げられる。
【００４２】
〈接続用半導電層〉
接続用半導電層３３は、絶縁筒３１における軸方向の中央の外周に設けられる外周筒部３３１と、絶縁筒３１における軸方向の各端部の内周側に設けられる端部内周筒部３３２とを備える。外周筒部３３１及び各端部内周筒部３３２は、絶縁筒３１と一体成形されている。外周筒部３３１と各端部内周筒部３３２とは、後述の縁切り部３４により電気的に縁切りされている。外周筒部３３１は、後述の遮蔽層（図示略）を介して他方のケーブル遮蔽層（図示略）に接続されている。外周筒部３３１の形状は、軸方向に一様な厚みの円筒状である。各端部内周筒部３３２は、各外部半導電層１２２に接続されている（図１紙面左側は図示略）。各端部内周筒部３３２の内周面は、ゴムユニット３の中央側に向かって内径の広がるラッパ状に形成されており、各端部内周筒部３３２の厚さは、ゴムユニット３の中央側ほど薄くて、ゴムユニット３の端部側ほど厚い。外周筒部３３１及び端部内周筒部３３２の材質は、例えば、半導電性エチレンプロピレンゴム、又は半導電性シリコーンゴムなどが挙げられる。
【００４３】
〈縁切り部〉
縁切り部３４は、接続用半導電層３３の外周筒部３３１と各端部内周筒部３３２とを電気的に縁切りする。各縁切り部３４は、絶縁筒３１の各端部の外周側に絶縁筒３１と一体成形されている（図１紙面左側は図示略）。本例では、各縁切り部３４は、絶縁筒３１に片持ち支持されるように一体成形されている。各縁切り部３４は、各端部内周筒部３３２の外周を覆うと共に、後述する凹部３５の外周に形成される。各縁切り部３４の形状は、本例では厚さの略一様な円筒状である。縁切り部３４は、内周側に凹むように変形して押さえ付けられている。上述したように、ゴムユニット３は拡径状態で導体接続部２の外周などに配置され、ゴムの収縮力によって電力ケーブル１００の外周などに隙間なく密着されるからである。また、本例ではその外側に形成される防水層６による面圧で内周側に押さえ付けられている。この変形により、縁切り部３４の内周面の一部が端部内周筒部３３２の外周面に接していて、後述の凹部３５がその底側から開口側に向かって一部埋められている。縁切り部３４の材質は、絶縁筒３１と同じ絶縁性ゴムが挙げられる。
【００４４】
〈凹部〉
凹部３５は、ゴムユニット３の端部に設けられる（図２）。凹部３５の形状は、円環状である。凹部３５の内周面は、縁切り部３４の表面を兼ねる重複面３５１を有する。本例では、凹部３５は、縁切り部３４と端部内周筒部３３２とで構成され、凹部３５の内周面は、縁切り部３４の表面（内周面）を兼ねる重複面３５１と、端部内周筒部３３２の表面（外周面）とで構成されている。なお、後述するように、凹部３５は、縁切り部３４の一部で構成され、凹部３５の内周面は、重複面３５１（縁切り部３４の表面）のみで形成されていてもよい（図５）。この凹部３５は、絶縁筒３１と内部半導電層３２と接続用半導電層３３とを一体成形する際、使用する金型の内周面に凹部３５に相当する突起を設けることで形成できる。
【００４５】
〈沿面距離延長部〉
沿面距離延長部３６は、凹部３５の開口を塞ぐ仮想平面Ｖ（図７）を通ると共に、外周筒部３３１と端部内周筒部３３２との間に亘る沿面距離を比較沿面距離Ｌｃ（図７）とするとき、外周筒部３３１と端部内周筒部３３２との間に亘る沿面距離Ｌ（図２）を比較沿面距離Ｌｃ（図７）よりも長くする。それにより、ゴムユニット３の端面の対向箇所（例えば後述する半導電性台座スペーサ４との間）に電気的弱点に成りうる空隙が形成されても、沿面距離延長部３６を備えない場合（比較沿面距離Ｌｃ）に比較して沿面距離Ｌが長いため、絶縁性能の低下を抑制し易い。沿面距離Ｌ及び比較沿面距離Ｌｃは、外周筒部３３１と端部内周筒部３３２とを部材表面に沿って繋ぐ最短距離をいう。図７は、図２に示す挿入部３６１及び露出部３６２（共に後述）を備えない参考例１の電力ケーブルの中間接続構造を示す。参考例１の電力ケーブルの中間接続構造は、挿入部３６１及び露出部３６２を備えない点を除き、図２に示すゴムユニット３と同様である。図７では、説明の便宜上、縁切り部３４が変形していない状態を示している。
【００４６】
沿面距離延長部３６は、重複面３５１の少なくとも一部を含む。本例では、沿面距離延長部３６は重複面３５１の一部（縁切り部３４の内周面における凹部３５の開口側）を含むが、後述するように、重複面３５１の全面を含んでいてもよい（図４）。この沿面距離延長部３６は、挿入部３６１と露出部３６２と備える。挿入部３６１及び露出部３６２は、本例のように縁切り部３４及び端部内周筒部３３２とは別体に形成してもよいし、後述のように縁切り部３４及び端部内周筒部３３２と一体成形（図４）されていてもよい。
【００４７】
・挿入部
挿入部３６１は、凹部３５内に挿入されて、凹部３５をその全周に亘って埋める。挿入部３６１の形状は、円筒状である。挿入部３６１の軸方向の長さは、図２に示す本例のように、凹部３５の全長よりも短くて凹部３５の開口側にのみ挿入される程度の長さであってもよいし、図４に示す後述の実施形態４のように、凹部３５の全域に亘って挿入されるように、凹部３５の全長と同程度の長さとしてもよい。露出部３６２のサイズにもよるが、挿入部３６１の長さを調整することで沿面距離Ｌの長さを調整でき、挿入部３６１の長さを長くすることで沿面距離Ｌを長くできる。
【００４８】
・露出部
露出部３６２は、挿入部３６１に一連に形成されて、凹部３５の外側に露出する。露出部３６２は、本例では半導電性台座スペーサ４（後述）の外周に配置されている。この露出部３６２は、その挿入部３６１側（図２の左端側）が外周側に突出して縁切り部３４の端面を覆うと共に、その挿入部３６１側からその反対側（図２の右端側）の先端に向かって厚さが薄くなる傾斜面を有するくさび状に形成されている。この露出部３６２の縦断面形状は、直角台形状であり、直角台形の上底（短辺）が外周側、下底（長辺）が内周側、傾斜辺が先端側に位置する。この上底と下底と傾斜辺との合計長さは、縁切り部３４の厚さ（端面の長さ）と挿入部３６１の軸方向の長さと挿入部３６１の厚さ（端面（図２の左端面）の長さ）の合計長さよりも長い。
【００４９】
挿入部３６１及び露出部３６２の材質は、絶縁性ゴムが挙げられる。挿入部３６１及び露出部３６２の硬さは、縁切り部３４や端部内周筒部３３２の硬さと同等、更には縁切り部３４や端部内周筒部３３２の硬さよりも硬いことが好ましい。そうすれば、挿入部３６１を凹部３５内に挿入させ易い。
【００５０】
ゴムユニット３のケーブル端部外周への装着は、次のようにして行える。まず、凹部３５に挿入部３６１を挿入して、挿入部３６１及び露出部３６２と絶縁筒３１及び端部内周筒部３３２とを一体化してゴムユニット３を作製する。このゴムユニット３、及び後述の半導電性台座スペーサ４を一方の電力ケーブル１００に事前に挿入しておく。このとき、ゴムユニット３は、拡径され、拡径保持材（図示せず）により拡径状態で保持されている。各電力ケーブル１００の端部を段剥ぎ処理して、互いの導体１１０を導体接続部２に挿入して圧縮接続し、導体１１０同士を接続する。拡径されたゴムユニット３を所定の位置に移動させた後、拡径保持材を抜き取り、ゴムユニット３を収縮させ、絶縁体１２０及び外部半導電層１２２に密着させる。
【００５１】
その他、次のようにして、ゴムユニット３をケーブル端部外周へ装着させることもできる。まず、ゴムユニット３を外部半導電層１２２よりもシース１４０側に逃しておく。その状態で、段剥ぎされて露出した導体１１０同士を導体接続部２に挿入して圧縮接続し、導体１１０同士を接続する。導体接続部２の外周には、絶縁体１２０の外周との間に段差ができないように半導電テープを巻回する。続いて、外部半導電層１２２の外周に半導電テープ層４０を形成し、その外周に半導電性台座スペーサ４を配置する。そして、半導電性台座スペーサ４の斜面（後述）を利用してゴムユニット３を拡径させ、導体接続部２（その外周の半導電テープ）の外周を覆うようにゴムユニット３を半導電性台座スペーサ４よりも導体接続部２側に移動させて絶縁体１２０及び外部半導電層１２２に密着させる。
【００５２】
（その他）
電力ケーブルの中間接続構造１は、更に、ゴムユニット３の端面に対向配置される半導電性台座スペーサ４と、ゴムユニット３の外周側に形成される遮蔽層（図示略）及び防水層６とを備える（図１）。
【００５３】
〈半導電性台座スペーサ〉
半導電性台座スペーサ４は、ゴムユニット３及び外部半導電層１２２の外周に遮蔽層や防水層６を巻回し易くする。半導電性台座スペーサ４は、２つの分割片からなる半割れの環状体で構成され、分割片を組み合わせて環状体になる。半導電性台座スペーサ４（図１紙面右側、図２）は、露出部３６２の内側で端部内周筒部３３２の端面に対向配置されて、露出部３６２の内周面と端部内周筒部３３２の端面と外部半導電層１２２の外周面との間のスペースを埋める。半導電性台座スペーサ４の縦断面形状は、本例では直角台形状であり、その斜面がゴムユニット３とは反対側に配置されている。半導電性台座スペーサ４と外部半導電層１２２との間の隙間は、半導電テープ層４０により埋められている。
【００５４】
〈遮蔽層〉
遮蔽層は、本例では外周筒部３３１と他方のケーブル遮蔽層（図示略）とを接続する。この遮蔽層は、ゴムユニット３の外周における外周筒部３３１の端面から他方のケーブル遮蔽層に亘って形成されている。遮蔽層は、銅やアルミニウムなどの導電性を有する金属のテープや編組線で形成されている。
【００５５】
〈防水層〉
防水層６は、本例ではゴムユニット３の外周をゴムユニット３の軸方向の全長に亘って形成されている（図１）。防水層６は、絶縁性の樹脂テープを巻回して形成したり、絶縁性の熱収縮チューブを被せて形成できる。
【００５６】
〈保護管・コンパウンド〉
電力ケーブルの中間接続構造１は、地中布設される場合、更に保護管とコンパウンド（いずれも図示略）を備えることができる。保護管は、一方の電力ケーブル１００（図右側）のシース１４０近くの外周から、ゴムユニット３の外周を経て、他方の電力ケーブル１００（図左側）のシース（図示略）近くの外周に亘る領域を覆う。この保護管は、上記領域との間に所定の空間をあけて配置される。コンパウンドは、保護管内（上記空間内）に充填されて、保護管内の水密性を高める。コンパウンドには、公知の防水コンパウンドを利用できる。
【００５７】
［用途］
実施形態１に係る電力ケーブルの中間接続構造１は、電力ケーブル線路において、電力ケーブルの端部同士を接続すると共に、両電力ケーブルに備わるケーブル遮蔽層同士を電気的に絶縁するＩＪタイプの中間接続構造に好適に利用できる。特に、電力ケーブルの中間接続構造１は、地中送電線などの各種の電力ケーブル線路の中間接続構造に好適に利用できる。電力ケーブルの中間接続部は、地中布設される場合、マンホールや洞道内などに設置される。電力ケーブルの中間接続部は、地上布設される場合、架台上などに設置される。
【００５８】
〔作用効果〕
実施形態１に係る電力ケーブルの中間接続構造１によれば、ヒートサイクルによる絶縁性能の低下を抑制し易い。ヒートサイクルによってゴムユニット３の端面の対向箇所（半導電性台座スペーサ４との間）に電気的弱点に成りうる空隙が形成されても、沿面距離延長部３６を備えることで、沿面距離延長部３６を備えない場合に比較して沿面距離Ｌを長くできるからである。特に、挿入部３６１と露出部３６２のサイズを調整することで沿面距離Ｌを調整できるため、沿面距離Ｌを比較沿面距離Ｌｃよりも長くし易い。
【００５９】
《実施形態２》
〔電力ケーブルの中間接続構造〕
図３を参照して実施形態２に係る電力ケーブルの中間接続構造を説明する。実施形態２に係る電力ケーブルの中間接続構造は、更に、縁切り部３４をその内周側から支持する筒状の底側挿入部３７を備える点が実施形態１と相違する。以下の説明では、実施形態１との相違点を中心に説明し、同様の構成は説明を省略する。この点は、後述の実施形態３、実施形態４でも同様である。
【００６０】
〈底側挿入部〉
底側挿入部３７は、凹部３５の底側に挿入部３６１と独立して配置されて、凹部３５の底側を埋める。縁切り部３４は、実施形態１で説明したように内周側に変形して押さえ付けられているものの、ヒートサイクルにより膨張収縮する。この底側挿入部３７により縁切り部３４をその内周側から支持することで縁切り部３４を機械的に補強できる。そのため、ヒートサイクルによる膨張収縮で縁切り部３４が劣化し難く、特に縁切り部３４の根元の損傷を抑制し易い。図３では、説明の便宜上、凹部３５の内周面と底側挿入部３７との間の隙間を誇張して示している。底側挿入部３７の長さは、凹部３５における挿入部３６１以外の領域を埋める長さとすることが好ましい。そうすれば、挿入部３６１と底側挿入部３７とで実質的に凹部３５の全域を埋めることができて、縁切り部３４をより強固に支持し易い。底側挿入部３７の材質は、挿入部３６１と同じ絶縁性ゴムが挙げられ、その硬さは、挿入部３６１と同様、縁切り部３４及び端部内周筒部３３２の硬さと同等、更には縁切り部３４や端部内周筒部３３２の硬さよりも硬いことが好ましい。そうすれば、底側挿入部３７を凹部３５内に挿入し易い。
【００６１】
〔作用効果〕
実施形態２に係る電力ケーブルの中間接続構造によれば、ヒートサイクルに伴う膨張収縮による縁切り部３４の劣化を抑制し易い。底側挿入部３７により縁切り部３４をその内周側から支持することで、縁切り部３４を機械的に補強できるからである。
【００６２】
《実施形態３》
〔電力ケーブルの中間接続構造〕
図４を参照して実施形態３に係る電力ケーブルの中間接続構造を説明する。実施形態３に係る電力ケーブルの中間接続構造は、挿入部３６１が凹部３５の内周面（縁切り部３４の内周面及び端部内周筒部３３２の外周面）と一体成形され、露出部３６２が縁切り部３４及び端部内周筒部３３２の両端面と一体成形されている点が実施形態１と相違する。
【００６３】
挿入部３６１は、凹部３５の全域に亘って充填されている。即ち、本例では挿入部３６１と凹部３５との間には隙間が実質的に形成されていない。露出部３６２は、縁切り部３４の端面と端部内周筒部３３２の端面の両端面の略全面を覆う。本例の露出部３６２の大きさは実施形態１や実施形態２で説明した露出部３６２よりも大きい。そのため、本例の電力ケーブルの中間接続構造では、露出部３６２と外部半導電層１２２との間に半導電性台座スペーサを設けていない。なお、露出部３６２の大きさによっては、半導電性台座スペーサ４（図２）を設けてもよい。
【００６４】
挿入部３６１及び露出部３６２と、縁切り部３４（絶縁筒３１）及び端部内周筒部３３２（接続用半導電層３３）との一体化は、例えば、以下の（ａ）、（ｂ）の手法で行える。
（ａ）絶縁筒３１と内部半導電層３２と接続用半導電層３３とを一体成形した一体物を金型内に配置し、挿入部３６１及び露出部３６２の構成材料を金型内に充填して成形する。
（ｂ）まず、挿入部３６１及び露出部３６２を準備する。挿入部３６１及び露出部３６２の準備は、絶縁筒３１と内部半導電層３２と接続用半導電層３３とを一体成形した一体物と同形状の治具を用意し、その治具を金型に配置して、挿入部３６１及び露出部３６２の構成材料を金型内に充填して成形することで行える。そして、挿入部３６１及び露出部３６２と内部半導電層３２と接続用半導電層３３とを金型内に配置し、絶縁筒３１の構成材料を金型内に充填して成形する。
【００６５】
なお、実施形態２と同様、挿入部３６１よりも凹部３５の底側に配置される底側挿入部３７（図３）を備えていてもよい。
【００６６】
〔作用効果〕
実施形態３に係る電力ケーブルの中間接続構造によれば、凹部３５と挿入部３６１との間、縁切り部３４及び端部内周筒部３３２の端面と露出部３６２との間に隙間が形成され難い。挿入部３６１が凹部３５の内周面と一体成形され、露出部３６２が縁切り部３４及び端部内周筒部３３２の両端面と一体成形されているからである。そのため、ヒートサイクルによる絶縁性能の低下をより一層抑制し易い。特に、挿入部３６１が凹部３５の内周面と一体成形されることで、挿入部３６１で凹部３５の全域に亘って埋め易いため、沿面距離Ｌを比較沿面距離Ｌｃに比較してより一層長くし易い。
【００６７】
《実施形態４》
〔電力ケーブルの中間接続構造〕
図５を参照して実施形態４に係る電力ケーブルの中間接続構造を説明する。実施形態４に係る電力ケーブルの中間接続構造は、凹部３５の内周面が重複面３５１（縁切り部３４の表面）のみで形成されている点が実施形態１との相違点の一つである。即ち、沿面距離延長部３６は凹部３５で形成されている。
【００６８】
端部内周筒部３３２は、ゴムユニット３の中央側に向かって径の広がるラッパ状に形成されると共に、その先端をゴムユニット３の端部側へ折り返して形成されている。端部内周筒部３３２の厚さは、略均一である。この端部内周筒部３３２と縁切り部３４との間には隙間が形成されず、縁切り部３４と端部内周筒部３３２とは密着している。
【００６９】
縁切り部３４の表面は、ゴムユニット３の端部側に向かって外径の小さくなる傾斜面を有し、その傾斜面には、軸方向に沿って局所的に凹む円環状の凹部３５が形成されている。この凹部３５が沿面距離延長部３６を形成する。この場合、凹部３５の開口を塞ぐ仮想平面Ｖが傾斜面の延長面となる。凹部３５の内周面の合計長さ（凹部３５の上面の軸方向の長さ＋底面の径方向の長さ＋下面の軸方向の長さ）は、上記延長面よりも長い。そのため、本例の沿面距離Ｌは、比較沿面距離Ｌｃよりも長くできている。
【００７０】
この電力ケーブルの中間接続構造は、実施形態１などと同様、凹部３５内に挿入される挿入部３６１と凹部３５の外側に露出する露出部３６２とを備えていてもよい。図５では、説明の便宜上、挿入部３６１及び露出部３６２のハッチングは省略して示している。この場合、沿面距離延長部３６は、重複面３５１（凹部３５）と挿入部３６１と露出部３６２とで構成される。また、実施形態２と同様、更に、挿入部３６１よりも凹部３５の底側に配置される底側挿入部３７（図３）を備えていてもよい。
【００７１】
〔作用効果〕
実施形態４に係る電力ケーブルの中間接続構造によれば、挿入部３６１及び露出部３６２を備えない場合、実施形態１に比較して、部品点数を低減しつつヒートサイクルによる絶縁性能の低下を抑制し易い。絶縁筒３１などと独立する沿面距離延長部３６を別途用意する必要がないからである。一方、挿入部３６１及び露出部３６２を備える場合、実施形態１と同様、ヒートサイクルによる絶縁性能の低下を抑制し易い。
【００７２】
《実施形態５》
〔電力ケーブルの中間接続構造〕
図６を参照して実施形態５に係る電力ケーブルの中間接続構造を説明する。実施形態５に係る電力ケーブルの中間接続構造は、凹部３５の内周面が重複面３５１（縁切り部３４の表面）のみで形成されている点は、実施形態４と同様である。この電力ケーブルの中間接続構造は、縁切り部３４の傾斜面に局所的に突出する突出部３９を有し、凹部３５が突出部３９の内周面と縁切り部３４における突出部３９よりも内周側の傾斜面（内周側傾斜面）とで形成される点が実施形態４と相違する。
【００７３】
突出部３９は、軸方向に平行に突出する円筒状に形成されている。突出部３９の軸方向の長さは、突出部３９の内周面における軸方向の長さが、縁切り部３４における突出部３９よりも外周側の傾斜面と上記内周側傾斜面とを繋ぐ仮想傾斜面の長さよりも長くなる程度の長さとしている。その上、突出部３９の軸方向の長さは、突出部３９の内周面における軸方向の長さと上記内周側傾斜面の長さとの合計長さが、凹部３５の開口を塞ぐ仮想平面（本例では、ゴムユニット３の軸方向と直交する面）の長さよりも長くなる程度の長さとしている。
【００７４】
この形態では、実施形態１などと同様、凹部３５に挿入される挿入部３６１と凹部３５から露出して突出部３９の端面を覆う露出部３６２とを備える。凹部３５の縦断面形状は、本例では三角形状であり、挿入部３６１の縦断面形状は、凹部３５の縦断面形状に沿った三角形状である。沿面距離延長部３６は、重複面３５１（凹部３５）と挿入部３６１と露出部３６２とで構成される。
【００７５】
〔作用効果〕
実施形態５に係る電力ケーブルの中間接続構造によれば、突出部３９がない場合に比較して沿面距離Ｌを長くできるため、ヒートサイクルによる絶縁性能の低下を抑制し易い。
【００７６】
《試験例１》
図１，図２に示す実施形態１の電力ケーブルの中間接続構造と、図４に示す実施形態３の電力ケーブルの中間接続構造と、図７に示す参考例１の電力ケーブルの中間接続構造とを用意し、ＩＥＣ６０８５９規格に準拠して、縁切り部に雷インパルス耐電圧性能を評価した。ここでは、フラッシオーバするまで−１０ｋＶ／１回Ｓｔｅｐで雷インパルス電圧を印加した。
【００７７】
図１，図２に示す実施形態１の電力ケーブルの中間接続構造では、−１６５ｋＶまで耐え、−１７５ｋＶでフラッシオーバした。また、図４に示す実施形態３の電力ケーブルの中間接続構造では、−２０５ｋＶまで耐え、−２１５ｋＶでフラッシオーバした。一方、図７に示す参考例１の電力ケーブルの中間接続構造では、−１４５ｋＶまでしか耐えることができなかった。
【００７８】
以上の結果から、電力ケーブルの中間接続構造に備わるゴムユニットが沿面距離延長部を有することで、雷インパルス耐電圧性能に優れることが分かった。特に、凹部の略全長に亘る長さを有する挿入部が凹部と一体成形される実施形態３の電力ケーブルの中間接続構造は、挿入部の長さが凹部の全長よりも短くて挿入部が凹部と一体成形されずに単に凹部に挿入される実施形態１の電力ケーブルの中間接続構造に比較して、雷インパルス耐電圧性能により優れることが分かった。
【００７９】
本発明はこれらの例示に限定されるものではなく、特許請求の範囲によって示され、特許請求の範囲と均等の意味および範囲内でのすべての変更が含まれることが意図される。
【符号の説明】
【００８０】
１  中間接続構造
２  導体接続部
３  ゴムユニット
３１  絶縁筒
３２  内部半導電層
３３  接続用半導電層
３３１  外周筒部
３３２  端部内周筒部
３４  縁切り部
３５  凹部
３５１  重複面
３６  沿面距離延長部
３６１  挿入部
３６２  露出部
３７  底側挿入部
３９  突出部
４  半導電性台座スペーサ
４０  半導電テープ層
６  防水層
１００  電力ケーブル
１１０  導体
１２０  絶縁体
１２２  外部半導電層
１２４  半導電テープ層
１３０  ケーブル遮蔽層
１４０  シース
２００  電力ケーブル線路
Ｖ  仮想平面
Ｌ  沿面距離
Ｌｃ  比較沿面距離
【図１】
2019041464.tif 000003
【図２】
2019041464.tif 000004
【図３】
2019041464.tif 000005
【図４】
2019041464.tif 000006
【図５】
2019041464.tif 000007
【図６】
2019041464.tif 000008
【図７】
2019041464.tif 000009